(57)【要約】【課題】  色収差の発生を軽減することができ、高ズーム比でズーム全域で良好な光学特性が得られるズームレンズを得ること。【解決手段】  物体側より像側へ順に、正の屈折力の第１レンズ群、負の屈折力の第２レンズ群、１以上のレンズ群を含む後群より構成され、ズーミングに際して隣り合うレンズ群の間隔が変化するズームレンズであって、後群は全ズーム範囲において正の屈折力を有し、第２レンズ群は３つ以上の負レンズと２つ以上の正レンズを有し、材料の屈折率とアッベ数を各々ｎｄ、νｄとするとき、第２レンズ群の正レンズの全ては、１．２６４＋１４．３／νｄ＜Ｎｄ＜１．３１７＋１６．６６７／νｄなる条件式を満足すること。【選択図】  図１
2015200870.tif 000002
【特許請求の範囲】
【請求項１】
物体側より像側へ順に、正の屈折力の第１レンズ群、負の屈折力の第２レンズ群、１以上のレンズ群を含む後群より構成され、ズーミングに際して隣り合うレンズ群の間隔が変化するズームレンズであって、
前記後群は全ズーム範囲において正の屈折力を有し、前記第２レンズ群は３つ以上の負レンズと２つ以上の正レンズを有し、
材料の屈折率とアッベ数を各々ｎｄ、νｄとするとき、前記第２レンズ群に含まれる全ての正レンズは、
１．２６４＋１４．３／νｄ＜Ｎｄ＜１．３１７＋１６．６６７／νｄ
なる条件式を満足することを特徴とするズームレンズ。
【請求項２】
物体側より像側へ順に、正の屈折力の第１レンズ群、負の屈折力の第２レンズ群、１以上のレンズ群を含む後群より構成され、ズーミングに際して隣り合うレンズ群の間隔が変化するズームレンズであって、
前記後群は全ズーム範囲において正の屈折力を有し、前記第２レンズ群は３つ以上の負レンズと２つ以上の正レンズを有し、
前記第２レンズ群の物体側から数えて第ｉ番目の正レンズＧ２ｐｉの材料のアッベ数をνｄ２ｐｉ、前記正レンズＧ２ｐｉの材料のｇ線とＦ線に関する部分分散比をθｇＦ２ｐｉ、前記正レンズＧ２ｐｉの焦点距離をｆ２ｐｉとし、
Ｘ２ｐｉ＝θｇＦ２ｐｉ−０．６４３８＋０．００１６８２×νｄ２ｐｉ
とおくとき、
−０．０１０＜（ΣＸ２ｐｉ／ｆ２ｐｉ）／（Σ１／ｆ２ｐｉ）＜０．００８
なる条件式を満足することを特徴とするズームレンズ。
【請求項３】
前記第２レンズ群は４つ以上の負レンズを有することを特徴とする請求項１または２に記載のズームレンズ。
【請求項４】
前記第２レンズ群に含まれる負レンズの中で、物体側から数えて第ｉ番目に配置された負レンズＧ２ｎｉの材料のアッベ数をνｄ２ｎｉ、前記負レンズＧ２ｎｉの材料のｇ線とＦ線を基準とした部分分散比をθｇＦ２ｎｉとし、
Ｘ２ｎｉ＝θｇＦ２ｎｉ−０．６４３８＋０．００１６８２×νｄ２ｎｉ
とおくとき、
０．０１＜Ｘ２ｎｉ＜０．１０
６０＜νｄ２ｎｉ
なる条件式を満足することを特徴とする請求項１乃至３のいずれか１項に記載のズームレンズ。
【請求項５】
前記第１レンズ群は複数のレンズを有し、前記第１レンズ群に含まれるレンズの中で物体側から数えて第ｊ番目に配置されたレンズＧ１ｊの材料のアッベ数をνｄ１ｊ、前記レンズＧ１ｊのｇ線とＦ線を基準とした部分分散比をθｇＦ１ｊ、前記レンズＧ１ｊの焦点距離をｆ１ｊとし、
Ｘ１ｊ＝θｇＦ１ｊ−０．６４３８＋０．００１６８２×νｄ１ｊ
とおくとき、
０．０３＜（ΣＸ１ｊ／ｆ１ｊ）／（Σ１／ｆ１ｊ）＜０．１０
なる条件式を満足することを特徴とする請求項１乃至４のいずれか１項に記載のズームレンズ。
【請求項６】
前記第１レンズ群の焦点距離をｆ１、広角端における全系の焦点距離をｆｗとするとき、
４．０＜ｆ１／ｆｗ＜８．０
なる条件式を満足することを特徴とする請求項１乃至５のいずれか１項に記載のズームレンズ。
【請求項７】
前記第２レンズ群の焦点距離をｆ２、広角端における全系の焦点距離をｆｗとするとき、
０．６０＜−ｆ２／ｆｗ＜１．１０
なる条件式を満足することを特徴とする請求項１乃至６のいずれか１項に記載のズームレンズ。
【請求項８】
前記後群は、物体側から像側へ順に、正の屈折力の第３レンズ群、負の屈折力の第４レンズ群、正の屈折力の第５レンズ群より構成されることを特徴とする請求項１乃至７のいずれか１項に記載のズームレンズ。
【請求項９】
広角端から望遠端へのズーミングに際して、各レンズ群は物体側へ移動することを特徴とする請求項８に記載のズームレンズ。
【請求項１０】
広角端から望遠端へのズーミングに際して前記第１レンズ群、前記第３レンズ群乃至第５レンズ群は物体側へ移動し、前記第２レンズ群は物体側に凸状又は像側へ凸状の軌跡で移動することを特徴とする請求項８に記載のズームレンズ。
【請求項１１】
前記後群は、物体側から像側へ順に、正の屈折力の第３レンズ群、正の屈折力の第４レンズ群、負の屈折力の第５レンズ群、正の屈折力の第６レンズ群より構成されることを特徴とする請求項１乃至７のいずれか１項に記載のズームレンズ。
【請求項１２】
前記後群は、物体側から像側へ順に、正の屈折力の第３レンズ群、負の屈折力の第４レンズ群より構成されることを特徴とする請求項１乃至７のいずれか１項に記載のズームレンズ。
【請求項１３】
請求項１乃至１２のいずれか１項に記載のズームレンズと、該ズームレンズによって形成された像を受光する固体撮像素子とを有することを特徴とする撮像装置。
【発明の詳細な説明】
【技術分野】
【０００１】
本発明は、ズームレンズ及びそれを有する撮像装置に関し、特にデジタルカメラ、ビデオカメラ、ＴＶカメラ、監視用カメラ、銀塩写真用カメラなどの撮像装置に好適なものである。
【背景技術】
【０００２】
撮像装置に用いられる撮像光学系にはレンズ全長（第１レンズ面から像面までの長さ）が短く、高解像力、高ズーム比のズームレンズであることが要求されている。このようなズームレンズにおいて高い光学性能を得るには、球面収差、コマ収差などの単色（単波長）収差の補正に加え、色収差も良好に補正されていることが必要になってくる。特に、高ズーム比で望遠側の焦点距離の長い望遠型のズームレンズでは、高解像力化のため色収差の補正として、１次の色消しに加え、２次スペクトルが良好に補正されていることが必要になってくる。
【０００３】
高ズーム比のズームレンズとして、最も物体側に正の屈折力のレンズ群を配置した、所謂ポジティブリードタイプのズームレンズが知られている。このうち物体側より順に、正、負、正、負、正の屈折力の第１レンズ群乃至第５レンズ群の５つのレンズ群より成る５群ズームレンズが知られている（特許文献１）。またこの５群ズームレンズにおいて異常分散性を有する材料より成る光学素子を用いたズームレンズが知られている（特許文献２）。特許文献２では異常分散性の強い光学材料より成る光学素子を用いて色収差の発生を低減させたズームレンズを開示している。
【先行技術文献】
【特許文献】
【０００４】
【特許文献１】特開２０１０−３２７０２号公報
【特許文献２】特開２００７−１６３９６４号公報
【発明の概要】
【発明が解決しようとする課題】
【０００５】
ポジティブリード型のズームレンズにおいて、高ズーム比化を図ると全ズーム領域において軸上色収差や倍率色収差等の色収差が多く発生してくる。ポジティブリード型のズームレンズにおいて、高ズーム比化を図りつつ全ズーム範囲にわたり高い光学性能を得るには色収差を軽減することが重要になってくる。色収差を低減させるにはズームレンズ中の適切な位置に低分散かつ異常分散性の材料より成るレンズを用いるのが有効である。
【０００６】
特に前述したポジティブリード型の５群ズームレンズでは変倍用の負の屈折力の第２レンズ群のレンズ構成及び第２レンズ群を構成する各レンズの材料を適切に設定することが重要になってくる。
【０００７】
本発明は、色収差の発生を軽減することができ、高ズーム比でズーム全域で良好な光学特性が得られるズームレンズ及びそれを有する撮像装置の提供を目的とする。
【課題を解決するための手段】
【０００８】
本発明のズームレンズは、物体側より像側へ順に、正の屈折力の第１レンズ群、負の屈折力の第２レンズ群、１以上のレンズ群を含む後群より構成され、ズーミングに際して隣り合うレンズ群の間隔が変化するズームレンズであって、
前記後群は全ズーム範囲において正の屈折力を有し、前記第２レンズ群は３つ以上の負レンズと２つ以上の正レンズを有し、
材料の屈折率とアッベ数を各々ｎｄ、νｄとするとき、前記第２レンズ群に含まれる全ての正レンズは、
１．２６４＋１４．３／νｄ＜Ｎｄ＜１．３１７＋１６．６６７／νｄ
なる条件式を満足することを特徴としている。
【発明の効果】
【０００９】
本発明によれば、色収差の発生を軽減することができ、高ズーム比でズーム全域で良好な光学特性が得られるズームレンズ及びそれを有する撮像装置が得られる。
【図面の簡単な説明】
【００１０】
【図１】実施例１のズームレンズの広角端のレンズ断面図
【図２】（Ａ）、（Ｂ）実施例１の広角端、望遠端における収差図
【図３】実施例２のズームレンズの広角端のレンズ断面図
【図４】（Ａ）、（Ｂ）実施例２の広角端、望遠端における収差図
【図５】実施例３のズームレンズの広角端のレンズ断面図
【図６】（Ａ）、（Ｂ）実施例３の広角端、望遠端における収差図
【図７】実施例４のズームレンズの広角端のレンズ断面図
【図８】（Ａ）、（Ｂ）実施例４の広角端、望遠端における収差図
【図９】実施例５のズームレンズの広角端のレンズ断面図
【図１０】（Ａ）、（Ｂ）実施例５の広角端、望遠端における収差図
【図１１】実施例６のズームレンズの広角端のレンズ断面図
【図１２】（Ａ）、（Ｂ）実施例６の広角端、望遠端における収差図
【図１３】光学材料の屈折率と分散との関係を示す説明図
【図１４】本発明の撮像装置の要部概略図
【発明を実施するための形態】
【００１１】
以下に本発明の好ましい実施の形態を、添付の図面に基づいて説明する。本発明のズームレンズは、物体側から像側へ順に、正の屈折力（光学的パワー＝焦点距離の逆数）の第１レンズ群、負の屈折力の第２レンズ群、１以上のレンズ群を含む後群より構成されている。ズーミングに際して隣り合うレンズ群の間隔が変化する。後群は全ズーム範囲において正の屈折力を有する。ズームレンズを構成する各レンズ群はズーミング時の間隔変化を基準に分けられており、各レンズ群は１枚又は複数枚のレンズで構成されている。
【００１２】
図１は本発明の実施例１のズームレンズの広角端（短焦点距離端）において無限遠物体に合焦（フォーカスとも言う。）したときのレンズ断面図である。図２（Ａ）、（Ｂ）は実施例１のズームレンズの広角端と望遠端（長焦点距離端）において無限遠物体に合焦したときの縦収差図である。図３は実施例２のズームレンズの広角端において無限遠物体に合焦したときのレンズ断面図である。図４（Ａ）、（Ｂ）は実施例２のズームレンズの広角端と望遠端において無限遠物体に合焦したときの縦収差図である。
【００１３】
図５は実施例３のズームレンズの広角端において無限遠物体に合焦したときのレンズ断面図である。図６（Ａ）、（Ｂ）は実施例３のズームレンズの広角端と望遠端において無限遠物体に合焦したときの縦収差図である。図７は実施例４のズームレンズの広角端において無限遠物体に合焦したときのレンズ断面図である。図８（Ａ）、（Ｂ）は実施例４のズームレンズの広角端と望遠端において無限遠物体に合焦したときの縦収差図である。
【００１４】
図９は実施例５のズームレンズの広角端において無限遠物体に合焦したときのレンズ断面図である。図１０（Ａ）、（Ｂ）は実施例５のズームレンズの広角端と望遠端において無限遠物体に合焦したときの縦収差図である。図１１は実施例６のズームレンズの広角端において無限遠物体に合焦したときのレンズ断面図である。図１２（Ａ）、（Ｂ）は実施例６のズームレンズの広角端と望遠端において無限遠物体に合焦したときの縦収差図である。
【００１５】
図１３は光学材料の屈折率とアッベ数との関係を示す説明図である。図１４は本発明のズームレンズを備えるデジタルスチルカメラ（撮像装置）の要部概略図である。
【００１６】
各実施例のズームレンズはビデオカメラやデジタルスチルカメラ、銀塩フィルムカメラ、ＴＶカメラなどの撮像装置に用いられる撮影レンズ系である。尚、各実施例のズームレンズは投射装置（プロジェクタ）用の投射光学系として用いることもできる。レンズ断面図において、左方が物体側（前方）で、右方が像側（後方）である。また、レンズ断面図において、ｉを物体側からのレンズ群の順番とすると、Ｌｉは第ｉレンズ群を示す。ＬＲは１以上のレンズ群を有する後群である。
【００１７】
Ｌ１は正の屈折力の第１レンズ群、Ｌ２は負の屈折力の第２レンズ群である。実施例１乃至４のズームレンズにおいては、後群ＬＲは正の屈折力の第３レンズ群Ｌ３、負の屈折力の第４レンズ群Ｌ４、正の屈折力の第５レンズ群Ｌ５よりなる。実施例５のズームレンズにおいては、後群ＬＲは、正の屈折力の第３レンズ群Ｌ３、正の屈折力の第４レンズ群Ｌ４、負の屈折力の第５レンズ群Ｌ５、正の屈折力の第６レンズ群Ｌ６よりなる。実施例６のズームレンズにおいては、後群ＬＲは、正の屈折力の第３レンズ群Ｌ３、負の屈折力の第４レンズ群Ｌ４よりなる。
【００１８】
ＳＰは開口絞りである。ＳＳＰは補助絞であり、不要光を遮光している。ＩＰは像面であり、ビデオカメラやデジタルスチルカメラの撮影光学系として使用する際にはＣＣＤセンサやＣＭＯＳセンサなどの固体撮像素子の撮像面が、銀塩フィルム用カメラのときはフィルム面に相当する感光面が置かれる。球面収差、歪曲、色収差において、実線はｄ線（波長５８７．６ｎｍ）、２点鎖線はｇ線（波長４３５．８ｎｍ）である。非点収差において、鎖線はｄ線のメリディオナル像面、実線はｄ線のサジタル像面である。ＦｎｏはＦナンバーである。ωは半画角（度）である。
【００１９】
尚、以下の各実施例において広角端と望遠端は各レンズ群が機構上光軸上を移動可能な範囲の両端に位置したときのズーム位置をいう。矢印は広角端から望遠端へのズーミングにおける各レンズ群の移動軌跡を示している。
【００２０】
各実施例において無限遠から近距離へのフォーカシングは第２レンズ群Ｌ２を物体側へ移動させて行っている。
【００２１】
図１の実施例１では、広角端から望遠端へのズーミングに際して矢印の如く、第１レンズ群Ｌ１は物体側へ移動している。第２レンズ群Ｌ２は物体側に凸状の軌跡で移動している。第３レンズ群Ｌ３は第２レンズ群Ｌ２との間隔を縮小しつつ物体側へ移動している。第４レンズ群Ｌ４は第３レンズ群Ｌ３との間隔を増大しつつ物体側へ移動している。第５レンズ群Ｌ５は第４レンズ群Ｌ４との間隔を縮小しつつ物体側へ移動している。
【００２２】
図３の実施例２では、広角端から望遠端へのズーミングに際して矢印の如く、第１レンズ群Ｌ１は物体側へ移動している。第２レンズ群Ｌ２は像側へ凸状の軌跡で移動している。第３レンズ群Ｌ３は第２レンズ群Ｌ２との間隔を縮小しつつ物体側へ移動している。第４レンズ群Ｌ４は第３レンズ群Ｌ３との間隔を増大しつつ物体側へ移動している。第５レンズ群Ｌ５は第４レンズ群Ｌ４との間隔を縮小しつつ物体側へ移動している。
【００２３】
図５の実施例３と図７の実施例４では、広角端から望遠端へのズーミングに際して矢印の如く第１レンズ群Ｌ１は物体側へ移動している。第２レンズ群Ｌ２は第１レンズ群Ｌ１との間隔を増大しつつ物体側へ移動している。第３レンズ群Ｌ３は第２レンズ群Ｌ２との間隔を縮小しつつ物体側へ移動している。第４レンズ群Ｌ４は第３レンズ群Ｌ３との間隔を増大しつつ物体側へ移動している。第５レンズ群Ｌ５は第４レンズ群Ｌ４との間隔を縮小しつつ物体側へ移動している。
【００２４】
実施例５のズームレンズでは、広角端から望遠端へのズーミングに際して、各レンズ群が物体側に移動する。ズーミングに際して、第１レンズ群Ｌ１と第２レンズ群Ｌ２の間隔は増大し、第２レンズ群Ｌ２と第３レンズ群Ｌ３の間隔は縮小し、第３レンズ群Ｌ３と第４レンズ群Ｌ４の間隔は縮小する。また、ズーミングに際して、第４レンズ群Ｌ４と第５レンズ群Ｌ５の間隔は増大し、第５レンズ群Ｌ５と第６レンズ群Ｌ６の間隔は縮小する。
【００２５】
実施例６のズームレンズでは、広角端から望遠端へのズーミングに際して、各レンズ群が物体側に移動する。ズーミングに際して、第１レンズ群Ｌ１と第２レンズ群Ｌ２の間隔は増大し、第２レンズ群Ｌ２と第３レンズ群Ｌ３の間隔は縮小し、第３レンズ群Ｌ３と第４レンズ群Ｌ４の間隔は縮小する。
【００２６】
一般に、物体側より像側へ順に、正の屈折力の第１レンズ群、負の屈折力の第２レンズ群、１以上のレンズ群を含む後群より構成され、ズーミングに際して隣り合うレンズ群の間隔が変化するズームレンズは、比較的容易に高倍化を実現することができる。
【００２７】
高ズーム比のズームレンズにおいて、全ズーム範囲において軸上色収差及び倍率色収差を良好に補正するには、広角端から望遠端へのズーミングに際しての収差変動を小さくする必要がある。このときの収差変動を少なくするための最も簡単な方法の１つは、第１レンズ群と第２レンズ群のパワーを緩くし、それらの間で発生する倍率色収差自体を軽減することである。しかしながら、この方法では全系が著しく大型化してしまう。
【００２８】
そこで本発明のズームレンズでは、軸上光線の入射高と軸外主光線の入射高のズーミングに際しての変化に着目している。一般に高ズーム比のズームレンズでは、変倍用の第２レンズ群への軸外主光線の入射高は広角端において非常に大きくなるのに対し、望遠端においては光軸に近い位置を通り、小さくなる。
【００２９】
望遠端において軸外主光線の入射高が圧倒的に高くなるのは、第１レンズ群である。そのため、倍率色収差のズーミングに伴う変動を小さくするためには、広角端においては第２レンズ群で倍率色収差を軽減することに徹底し、望遠端においては第１レンズ群で倍率色収差を軽減するのが良い。軸上色収差に関しては、広角端においては、軸上光線の入射高が第１レンズ群、第２レンズ群共に低いため、第２レンズ群よりも像側のレンズ群で補正する。
【００３０】
望遠端においては、軸上光線の入射高が第１レンズ群で、全系の中で圧倒的に高くなる。そのため、ズーミングに際して軸上色収差の変動を小さくするためには、第２レンズ群はそれ程重要ではなく、第１レンズ群で望遠端において軸上色収差を補正するのが良い。よって、第１レンズ群は、望遠端において倍率色収差と軸上色収差の両方を補正するのに重要になって来る。そのため、第１レンズ群については、正レンズに低分散で高部分分散比の材料を使用し、負レンズに低部分分散比の材料を使用するのが良い。
【００３１】
以上のことから、高ズーム比のズームレンズにおいて、ズーミングに際しての色収差の変動を小さくするためには、第２レンズ群において、広角端における倍率色収差を補正するのが良い。通常、負の屈折力のレンズ群において色収差を補正するには、負レンズの材料に低分散、正レンズの材料に高分散を使用するのが良い。
【００３２】
高ズーム比のズームレンズでは、変倍用のレンズ群のパワー（屈折力）が強くなるため、正レンズの材料と負レンズの材料の分散差を大きく付けることが重要とされてきた。しかしながら、２次スペクトルを考慮した時、通常、低分散の材料は部分分散比θｇＦが低く、高分散の材料は、部分分散比θｇＦが大きくなる。このため、短波長側の色収差が補正過剰となり、倍率色収差が低下してくる。
【００３３】
そこで本発明のズームレンズでは、正レンズの材料として、低部分分散比の材料を使用している。これにより１次、２次の色収差を良好に補正している。
【００３４】
具体的には、図９に示すＡラインとＢラインの間の領域の材料を使用した。図９において低θ材とは部分分散比の小さな材料を意味する。高θ材とは部分分散比の高い材料を意味する。この時、１次分散については、倍率色収差の補正効果が弱まってくる。そのため、各レンズより生ずる色収差を抑えるために、第２レンズ群において負レンズを３枚以上使用することで、負の屈折力を分散させ、１次の倍率色収差の発生を軽減している。
【００３５】
正レンズも、分散がやや低くなっているため、１枚で色収差を補正するには正の屈折力が強くなり過ぎて球面収差等が大きく発生してくるため、正の屈折力を複数のレンズに分けている。更に、複数に分けた正レンズの全てにおいて、部分分散比θｇＦが低い高分散材料を使用することで、広角端において倍率色収差を良好に補正している。軸上色収差は短波長側において増加するが、広角端においては後群ＬＲ、望遠端では第１レンズ群で、より効果的な補正を行える箇所があるため、第２レンズ群についてはこの使用法がベストであることを本発明者は見出した。
【００３６】
以上のようにして、各実施例では全ズーム範囲において倍率色収差が小さく、高ズーム比のズームレンズを得ている。
【００３７】
各実施例において、後群ＬＲは全ズーム範囲において正の屈折力を有する。第２レンズ群Ｌ２は３つ以上の負レンズと２つ以上の正レンズを有する。材料の屈折率とアッベ数を各々ｎｄ、νｄとするとき、第２レンズ群Ｌ２の正レンズの全ては、
１．２６４＋１４．３／νｄ＜Ｎｄ＜１．３１７＋１６．６６７／νｄ  ・・・（１）
なる条件式を満足する。
【００３８】
第２レンズ群Ｌ２に含まれる負レンズが２つ以下であると、１次の倍率色収差の発生量が増え、条件式（１）のように比較的低分散の材料を用いた正レンズでは補正するのが難しくなり、好ましくない。正レンズが１枚であると、条件式（１）のように比較的低分散の材料を用いた正レンズでは、パワーを強くする必要があり、この結果、球面収差が増加してくる。条件式（１）の上限値を逸脱すると、１次の倍率色収差の補正が困難になる。また条件式（１）の下限値を逸脱すると、部分分散比θｇＦが大きくなり、２次の倍率色収差が補正過剰となるため、好ましくない。
【００３９】
条件式（１）は、より好ましくは次の数値範囲とするのが良い。
１．２７０＋１４．３／νｄ＜Ｎｄ＜１．２８７＋１６．６６７／νｄ  ・・・（１ａ）
【００４０】
各実施例においてアッベ数νｄ、ｇ線とＦ線に関する部分分散比θｇＦは次のとおりである。ｇ線（波長４３５．８ｎｍ）、Ｆ線（４８６．１ｎｍ）、Ｃ線（６５６．３ｎｍ）、ｄ線（５８７．６ｎｍ）に対する材料の屈折率をそれぞれＮｇ、ＮＦ、ＮＣ、Ｎｄとする。このとき、アッベ数νｄと部分分散比θｇＦは、
νｄ＝（Ｎｄ−１）／（ＮＦ−ＮＣ）
θｇＦ＝（Ｎｇ−ＮＦ）／（ＮＦ−ＮＣ）
で表される値である。
【００４１】
以上のように各実施例によれば全ズーム領域で軸上色収差及び倍率色収差を良好に補正した高ズーム比のズームレンズを得ることができる。
【００４２】
次に、各実施例の前述した特徴以外の特徴について説明する。各実施例においては、物体側より像側へ順に、正の屈折力の第１レンズ群Ｌ１、負の屈折力の第２レンズ群Ｌ２、開口絞りＳＰ、１以上のレンズ群を含み全ズーム範囲において正の屈折力を有する後群ＬＲよりなっている。
【００４３】
そして、第２レンズ群Ｌ２の物体側から数えて第ｉ番目の正レンズＧ２ｐｉの材料のアッベ数をνｄ２ｐｉ、正レンズＧ２ｐｉの材料のｇ線とＦ線に関する部分分散比をθｇＦ２ｐｉとする。正レンズＧ２ｐｉの焦点距離をｆ２ｐｉとする。そして
Ｘ２ｐｉ＝θｇＦ２ｐｉ−０．６４３８＋０．００１６８２×νｄ２ｐｉ・・・（ａ１）とおく。
【００４４】
第２レンズ群Ｌ２の物体側から数えた第ｉ番目の負レンズＧ２ｎｉの材料のアッベ数をνｄ２ｎｉ、負レンズＧ２ｎｉの材料のｇ線とＦ線に関する部分分散比をθｇＦ２ｎｉとする。そして
Ｘ２ｎｉ＝θｇＦ２ｎｉ−０．６４３８＋０．００１６８２×νｄ２ｎｉ・・・（ａ２）とおく。
【００４５】
第１レンズ群Ｌ１は複数のレンズを有し、第１レンズ群Ｌ１の物体側から数えて第ｊ番目のレンズＧ１ｊの材料のアッベ数をνｄ１ｊ、レンズＧ１ｊのｇ線とＦ線に関する部分分散比をθｇＦ１ｊとする。レンズＧ１ｊの焦点距離をｆ１ｊとする。そして
Ｘ１ｊ＝θｇＦ１ｊ−０．６４３８＋０．００１６８２×νｄ１ｊ・・・（ａ３）
とおく。
【００４６】
第１レンズ群Ｌ１の焦点距離をｆ１、広角端における全系の焦点距離をｆｗとする。第２レンズ群Ｌ２の焦点距離をｆ２とする。このとき次の条件式のうち１以上を満足するのが良い。
−０．０１０＜（ΣＸ２ｐｉ／ｆ２ｐｉ）／（Σ１／ｆ２ｐｉ）＜０．００８
・・・（２）
０．０１＜Ｘ２ｎｉ＜０．１０      ・・・（３）
６０＜νｄ２ｎｉ                  ・・・（４）
０．０３＜（ΣＸ１ｊ／ｆ１ｊ）／（Σ１／ｆ１ｊ）＜０．１０  ・・・（５）
４．０＜ｆ１／ｆｗ＜８．０        ・・・（６）
０．６０＜−ｆ２／ｆｗ＜１．１０  ・・・（７）
【００４７】
次に前述の各条件式の技術的意味について説明する。
【００４８】
条件式（２）の上限値を逸脱すると、２次の倍率色収差の補正が困難になる。条件式（２）の下限値を逸脱すると、通常の光学材料では１次分散が小さくなり過ぎるため、好ましくない。条件式（２）は、より好ましくは次の数値範囲とするのが良い。
−０．００８＜（ΣＸ２ｐｉ／ｆ２ｐｉ）／（Σ１／ｆ２ｐｉ）＜０．００６
・・・（２ａ）
【００４９】
条件式（３）、（４）は第２レンズ群Ｌ２を構成する負レンズのうち少なくとも１つの負レンズＧ２ｎｉの材料に関する。
【００５０】
条件式（３）、（４）は、負レンズＧ２ｎｉにおいて、１次の倍率色収差の発生量を小さくしつつ、かつ２次の倍率色収差の発生量を大きくするためのものである。それにより、第２レンズ群Ｌ２に含まれる正レンズにおける１次、２次の倍率色収差の補正の負担が軽減する。条件式（３）、（４）は、より好ましくは、次の数値範囲とするのが良い。
０．０１２＜Ｘ２ｎｉ＜０．０８０  ・・・（３ａ）
６４＜νｄ２ｎｉ                  ・・・（４ａ）
【００５１】
条件式（５）は、望遠端において倍率色収差と軸上色収差を良好に補正するためのものである。条件式（５）の上限値を逸脱すると、望遠端において軸上色収差補正が過剰になる。条件式（５）の下限値を逸脱すると、望遠端において倍率色収差補正が不足する。条件式（５）は、より好ましくは次の数値範囲とするのが良い。
０．０４＜（ΣＸ１ｊ／ｆ１ｊ）／（Σ１／ｆ１ｊ）＜０．０８  ・・・（５ａ）
【００５２】
条件式（６）、（７）は、全系の小型化を図りつつ、高い光学性能を得るためのものである。条件式（６）、（７）の上限を逸脱すると全系が大型化してくる。また条件式（６）、（７）の下限を逸脱すると、ズーミングに際して球面収差の変動が大きくなり、高い光学性能を得るのが困難になる。条件式（６）、（７）は、より好ましくは次の数値範囲とするのが良い。
４．５＜ｆ１／ｆｗ＜７．５        ・・・（６ａ）
０．７０＜−ｆ２／ｆｗ＜１．００  ・・・（７ａ）
【００５３】
尚、各実施例において第２レンズ群Ｌ２を４枚以上の負レンズより構成すると、１次の倍率色収差の発生量が小さくなるため、好ましい。
【００５４】
次に各実施例の具体的なレンズ構成について説明する。実施例１は、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５で構成される。実施例１はズーム比１２．１４の５群ズームレンズである。
【００５５】
広角端から望遠端へのズーミングに際し、第２レンズ群Ｌ２は物体側に凸状の軌跡で移動する。また広角端に比べて望遠端において全てのレンズ群が物体側に移動している。広角端に比べ望遠端において第１レンズ群Ｌ１と第２レンズ群Ｌ２との間隔が長く、第２レンズ群Ｌ２と第３レンズ群Ｌ３との間隔が短い。また第３レンズ群Ｌ３と第４レンズ群Ｌ４との間隔が長く、第４レンズ群Ｌ４と第５レンズ群Ｌ５との間隔が短い。
【００５６】
第２レンズ群Ｌ２は、４枚の負レンズと２枚の正レンズから成っている。具体的には物体側より像側へ順に、負レンズ、負レンズ、負レンズ、正レンズ、負レンズ、正レンズよりなっている。２枚の正レンズは、全て条件式（１）を満たすと共に、条件式（２）の関係も満たしており、広角端において、１次と２次の倍率色収差を共に良好に補正している。また、第２レンズ群Ｌ２の最も像側の負レンズは、条件式（３）、（４）を満たしており、これにより更に広角端において倍率色収差を良好に補正している。
【００５７】
また、第１レンズ群Ｌ１は、条件式（５）を満たしており、これにより望遠端において軸上色収差と倍率色収差を良好に補正している。また、第１レンズ群Ｌ１と第２レンズ群Ｌ２のパワー（屈折力）が、条件式（６）、（７）を満たしており、これにより全系の小型化を図りつつ、高い光学性能を得ている。
【００５８】
実施例２は、レンズ群の数、各レンズ群の屈折力等は実施例１と同じである。実施例２はズーム比１２．１４の５群ズームレンズである。広角端から望遠端へのズーミングに際し、第１レンズ群Ｌ１、第３レンズ群Ｌ３、第４レンズ群Ｌ４、第５レンズ群Ｌ５は物体側に移動する。第２レンズ群Ｌ２は、像側に凸状の軌跡で移動する。広角端に比べて望遠端における各レンズ群の間隔変化は実施例１と同じである。
【００５９】
第２レンズ群Ｌ２は、３枚の負レンズと３枚の正レンズから成っている。具体的には物体側より像側へ順に、負レンズ、負レンズ、正レンズ、正レンズ、負レンズ、正レンズよりなっている。３枚の正レンズは、全て条件式（１）を満たすと共に、条件式（２）の関係も満たしており、広角端において、１次と２次の倍率色収差を共に良好に補正している。また、第２レンズ群Ｌ２の最も像側の負レンズは、条件式（３）、（４）を満たしており、これにより更に広角端において倍率色収差を良好に補正している。
【００６０】
また、第１レンズ群Ｌ１は、条件式（５）を満たしており、望遠端において軸上色収差と倍率色収差を良好に補正している。また、第１レンズ群Ｌ１と第２レンズ群Ｌ２のパワーが、条件式（６）、（７）を満たしており、これにより全体の小型化を図りつつ、高い光学性能を得ている。
【００６１】
実施例３は、レンズ群の数、各レンズ群の屈折力等は実施例１と同じである。実施例３はズーム比１２．１４の５群ズームレンズである。広角端から望遠端へのズーミングに際し、全てのレンズ群が物体側に移動する。広角端に比べて望遠端における各レンズ群の間隔変化は実施例１と同じである。第２レンズ群Ｌ２のレンズ構成は、実施例１と同じである。またレンズ構成より得られる効果も実施例１と同じである。
【００６２】
また、第１レンズ群Ｌ１は、条件式（５）を満たしており、これにより実施例１と同様の効果を得ている。また、第１レンズ群Ｌ１と第２レンズ群Ｌ２のパワーが、条件式（６）、（７）を満たしており、これにより実施例１と同様の効果を得ている。
【００６３】
実施例４は、レンズ群の数、各レンズ群の屈折力などは実施例１と同じである。実施例４はズーム比１２程度の５群ズームレンズである。広角端から望遠端へのズーミングに際し、全てのレンズ群が物体側に移動している。広角端に比べて望遠端における各レンズ群の間隔変化は実施例１と同じである。第２レンズ群Ｌ２のレンズ構成は実施例２と同じである。またレンズ構成より得られる効果も実施例２と同じである。
【００６４】
また、第１レンズ群Ｌ１は、条件式（５）を満たしており、これにより実施例２と同様の効果を得ている。また、第１レンズ群Ｌ１と第２レンズ群Ｌ２のパワーが、条件式（６）、（７）を満たしており、これにより実施例２と同様の効果を得ている。
【００６５】
実施例５のズームレンズは、物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、正の屈折力の第６レンズ群Ｌ６で構成される。実施例５はズーム比１２．１４の６群ズームレンズである。広角端から望遠端へのズーミングに際し、全てのレンズ群が物体側に移動する。
【００６６】
第２レンズ群Ｌ２は、４枚の負レンズと２枚の正レンズから成っている。具体的には物体側より像側へ順に、負レンズ、負レンズ、負レンズ、正レンズ、負レンズ、正レンズよりなっている。２枚の正レンズは、全て条件式（１）を満たすと共に、条件式（２）の関係も満たしており、広角端において、１次と２次の倍率色収差を共に良好に補正している。また、第２レンズ群Ｌ２の最も像側の負レンズは、条件式（３）、（４）を満たしており、これにより更に広角端において倍率色収差を良好に補正している。
【００６７】
また、第１レンズ群Ｌ１は、条件式（５）を満たしており、これにより望遠端において軸上色収差と倍率色収差を良好に補正している。また、第１レンズ群Ｌ１と第２レンズ群Ｌ２のパワー（屈折力）が、条件式（６）、（７）を満たしており、これにより全系の小型化を図りつつ、高い光学性能を得ている。
【００６８】
実施例６のズームレンズは、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４で構成される。実施例６はズーム比８．２３の４群ズームレンズである。広角端から望遠端へのズーミングに際し、全てのレンズ群が物体側に移動する。
【００６９】
第２レンズ群Ｌ２は、４枚の負レンズと２枚の正レンズから成っている。具体的には物体側より像側へ順に、負レンズ、負レンズ、負レンズ、正レンズ、負レンズ、正レンズよりなっている。２枚の正レンズは、全て条件式（１）を満たすと共に、条件式（２）の関係も満たしており、広角端において、１次と２次の倍率色収差を共に良好に補正している。また、第２レンズ群Ｌ２の最も像側の負レンズは、条件式（３）、（４）を満たしており、これにより更に広角端において倍率色収差を良好に補正している。
【００７０】
また、第１レンズ群Ｌ１は、条件式（５）を満たしており、これにより望遠端において軸上色収差と倍率色収差を良好に補正している。また、第１レンズ群Ｌ１と第２レンズ群Ｌ２のパワー（屈折力）が、条件式（６）、（７）を満たしており、これにより全系の小型化を図りつつ、高い光学性能を得ている。
【００７１】
図１４は各実施例のズームレンズを用いたデジタルスチルカメラの要部概略図である。図１４において、２０はカメラ本体、２１は各実施例で説明したいずれかのズームレンズによって構成された撮影光学系である。２２はカメラ本体２０に内蔵され、撮影光学系２１によって形成された被写体像を受光するＣＣＤセンサやＣＭＯＳセンサ等の固体撮像素子（光電変換素子）である。
【００７２】
以下、実施例１乃至６に対応する数値実施例１乃至６の具体的数値データを示す。各数値実施例において、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。また、有効径も示す。
【００７３】
また、焦点距離、Ｆナンバー等のスペックに加え、画角は全系の半画角（度）、像高は半画角を決定する最大像高、レンズ全長は第１レンズ面から像面までの距離、ＢＦはバックフォーカスであり最終レンズ面から像面までの長さを示している。また、ズーム群データは、各レンズ群の焦点距離、光軸上の長さ、前側主点位置、後側主点位置を表している。非球面は、光軸に垂直な方向にＲ離れた位置での、光軸方向の面位置をＳａｇ（Ｒ）とした時、
【００７４】
【数１】
2015200870.tif 000003
【００７５】
の関係を満足する形状であり、各非球面の非球面係数を各表に記す。また、各光学面の間隔ｄが（可変）となっている部分は、ズーミングに際して変化するものであり、別表に焦点距離に応じた面間隔を記している。また、各光学面の有効径が（可変）となっている部分は、ズーミングに際して変化するものであり、別表に焦点距離に応じた有効径ｅａ（ｉ）を記している。
【００７６】
尚、以下に記載する数値実施例１乃至６のレンズデータに基づく、各条件式の計算結果を表１に示す。表１において、ｆｔは望遠端における全系の焦点距離である。バリエータ構成においては物体側からのレンズの順序を示し、負は負レンズ、正は正レンズを示す。Ｎｉｊは第ｉレンズ群の物体側から数えたｊ番目の第ｊレンズの材料の屈折率を示す。νｉｊは第ｉレンズ群の物体側から数えたｊ番目の第ｊレンズの材料のアッベ数を示す。
【００７７】
θｇＦｉｊは第ｉレンズ群の物体側から数えたｊ番目の第ｊレンズの材料の部分分散比を示す。ｆｉｊは第ｉレンズ群の物体側から数えたｊ番目の第ｊレンズの焦点距離を示す。Ｘｉｊは第ｉレンズ群の物体側から数えたｊ番目の第ｊレンズの（ａ１）式、又は（ａ２）式、又は（ａ３）式の値を示す。
【００７８】
（数値実施例１）
単位  mm
面データ
面番号       r        d      nd         νd       有効径
1        262.675    2.00   1.88300    40.8       65.82
2         86.266    9.15   1.49700    81.5       60.83
3       -448.626    0.15                         60.66
4         83.266    6.85   1.59522    67.7       59.96
5        829.784  (可変)                         59.38
6*         ∞       1.60   1.85400    40.4       33.56
7*        22.011    4.47                         26.11
8*       134.326    1.40   1.77250    49.6       25.81
9         48.634    2.27                         24.38
10       -118.847    1.20   1.76385    48.5       24.31
11         49.293    4.06   1.72047    34.7       23.31
12        -57.532    2.17                         23.33
13        -21.928    1.20   1.59522    67.7       23.32
14       -116.471    0.15                         24.75
15        186.806    3.04   1.85478    24.8       26.17
16        -77.228  (可変)                         26.84
17(補助絞り) ∞    (可変)                         (可変)
18(絞り)     ∞    (可変)                         28.80
19         63.157    2.79   1.68893    31.1       29.44
20        202.862    0.15                         29.65
21         45.469    3.96   1.59522    67.7       30.38
22        474.814    0.15                         30.27
23         40.003    5.16   1.48749    70.2       30.08
24       -247.814    1.50   2.00100    29.1       29.53
25        260.527    0.15                         29.08
26         37.940    1.50   2.00100    29.1       28.39
27         18.728    7.67   1.58313    59.4       26.20
28*      -114.480  (可変)                         25.83
29*      -110.893    1.10   1.85400    40.4       20.28
30        109.268    1.00                         20.29
31       -156.672    1.10   1.88300    40.8       20.33
32         25.208    3.36   1.84666    23.8       20.98
33        196.182  (可変)                         21.25
34         43.435    6.52   1.59522    67.7       30.01
35        -69.776    0.15                         30.13
36         87.533    1.40   2.00100    29.1       29.59
37         22.893    5.63   1.43875    94.9       28.29
38         36.202    1.06                         29.25
39         37.270    7.43   1.64769    33.8       30.32
40        -65.462    2.48                         30.56
41        -29.375    1.60   1.88300    40.8       30.56
42        -47.471                                 32.02
非球面データ
第6面
K= 0.00000e+000  A 4= 1.86620e-005  A 6=-3.04876e-008  A 8= 1.60015e-011
A10=-6.99764e-015
第7面
K= 0.00000e+000  A 4= 8.50229e-006  A 6= 4.56149e-008  A 8=-6.92293e-011
A10= 1.18149e-012
第8面
K= 0.00000e+000  A 4=-4.19520e-006  A 6= 2.70106e-008  A 8= 1.21290e-010
A10= 2.28500e-013
第28面
K= 0.00000e+000  A 4= 8.33882e-006  A 6=-1.20374e-008  A 8= 2.87452e-011
A10=-5.98571e-014
第29面
K= 0.00000e+000  A 4= 4.12934e-006  A 6=-1.25462e-008  A 8= 7.22837e-011
A10=-1.38628e-013
各種データ
ズーム比     12.14
広角     中間     望遠
焦点距離      24.30    99.98   294.95
Fナンバー      4.10     5.76     5.88
半画角（度）  41.68    12.21     4.20
像高          21.64    21.64    21.64
レンズ全長   197.38   245.98   298.53
BF            38.90    91.95    92.55
d 5            2.33    32.83    93.55
d16           17.22     9.20     0.50
d17           18.00     1.08     1.00
d18           10.00     0.00     0.00
d28            1.25    12.04    14.34
d33           14.09     3.30     1.00
ea17          13.60    27.14    27.81
ズームレンズ群データ
群  始面    焦点距離  レンズ構成長  前側主点位置  後側主点位置
1    1     154.14        18.15         7.34         -4.27
2    6     -20.26        21.56         1.16        -15.77
3   17       ∞           0.00         0.00         -0.00
4   18       ∞           0.00         0.00         -0.00
5   19      30.36        23.04         3.34        -11.65
6   29     -36.46         6.56         1.25         -2.70
7   34      71.55        26.28         0.46        -17.34
【００７９】
（数値実施例２）
単位 mm
面データ
面番号       r        d      nd         νd       有効径
1        282.762    2.00   1.83481    42.7       66.04
2         81.668    8.92   1.49700    81.5       60.46
3       -586.894    0.15                         58.86
4         82.401    6.59   1.59522    67.7       57.64
5       1002.091  (可変)                         57.02
6*      -118.848    1.60   1.88300    40.8       36.16
7*        24.522    7.53                         27.87
8*       -41.458    1.30   1.88300    40.8       27.69
9         69.724    3.09   1.85478    24.8       27.20
10       -361.767    0.15                         27.06
11       1189.953    4.16   1.72047    34.7       26.94
12        -35.865    1.86                         26.73
13        -22.324    1.20   1.59522    67.7       26.73
14        -55.563    0.15                         27.64
15        624.717    2.81   1.80000    29.8       29.45
16       -100.191  (可変)                         30.10
17(補助絞り) ∞    (可変)                         (可変)
18(絞り)     ∞    (可変)                         30.98
19         79.830    4.71   1.51633    64.1       32.42
20        -92.794    0.15                         32.73
21         65.500    6.86   1.51823    58.9       33.15
22        -47.641    1.50   2.00100    29.1       32.96
23        -96.955    0.15                         33.25
24         38.719    1.50   1.90366    31.3       32.47
25         23.224    8.29   1.58313    59.4       30.60
26*      -131.543  (可変)                         30.09
27       -852.531    1.10   1.88300    40.8       23.85
28         81.384    1.76                         23.28
29        -73.777    1.10   1.88300    40.8       23.28
30         61.571    4.15   1.84666    23.8       23.29
31        -45.255    0.42                         23.48
32        -70.767    1.10   1.88300    40.8       23.39
33         96.236  (可変)                         23.68
34         94.091    6.36   1.49700    81.5       36.00
35        -69.283    0.15                         36.35
36         67.608    1.90   2.00100    29.1       36.18
37         30.690    8.66   1.59522    67.7       34.77
38       -226.494    0.15                         34.69
39        150.720    1.80   1.90366    31.3       34.43
40         23.257   11.35   1.68893    31.1       33.02
41        -74.361    1.01                         33.13
42        -49.134    1.80   1.88300    40.8       33.13
43       -197.635                                 33.94
非球面データ
第6面
K= 0.00000e+000  A 4= 2.32893e-005  A 6=-4.11485e-008  A 8= 7.29666e-011
A10=-6.50838e-014
第7面
K= 0.00000e+000  A 4= 7.30571e-006  A 6= 3.37954e-008  A 8=-2.01056e-010
A10= 1.15910e-012
第8面
K= 0.00000e+000  A 4=-4.67021e-006  A 6= 8.01979e-009  A 8= 2.22302e-011
A10= 1.40305e-013
第26面
K= 0.00000e+000  A 4= 2.72281e-006  A 6=-3.68196e-009  A 8= 1.11205e-011
A10=-2.32863e-014
各種データ
ズーム比     12.14
広角     中間     望遠
焦点距離      24.30    99.99   294.97
Fナンバー      4.10     5.53     5.93
半画角（度）  41.68    12.21     4.19
像高          21.64    21.64    21.64
レンズ全長   238.52   260.98   316.46
BF            38.90    92.94   101.87
d 5            2.74    35.01    94.48
d16           25.02    10.10     0.50
d17           10.50     0.50     0.50
d18           25.99     1.72     0.50
d26            0.80     9.04    10.11
d33           27.07     4.17     1.00
ea17          15.54    29.57    30.98
ズームレンズ群データ
群  始面    焦点距離  レンズ構成長  前側主点位置  後側主点位置
1    1     157.46        17.66         7.41         -3.91
2    6     -22.71        23.85        -0.80        -20.62
3   17       ∞           0.00         0.00         -0.00
4   18       ∞           0.00         0.00         -0.00
5   19      31.60        23.17         5.88         -9.57
6   27     -35.62         9.63         2.34         -3.69
7   34      91.89        33.18        -6.59        -24.90
【００８０】
（数値実施例３）
単位 mm
面データ
面番号       r        d      nd         νd       有効径
1        191.882    2.00   1.88300    40.8       64.63
2         75.995    8.76   1.49700    81.5       59.36
3      -1228.861    0.15                         58.91
4         76.799    6.89   1.59522    67.7       57.64
5        799.157  (可変)                         56.95
6*         ∞       1.60   1.85400    40.4       33.92
7*        21.496    4.93                         25.98
8*       405.002    1.50   1.77250    49.6       25.90
9         57.464    3.40                         24.74
10        -41.743    1.20   1.77250    49.6       24.61
11        423.803    3.85   1.72047    34.7       24.36
12        -33.472    1.69                         24.24
13        -20.528    1.20   1.59522    67.7       24.24
14        -65.604    0.15                         25.88
15        511.857    3.08   1.85478    24.8       27.69
16        -68.491  (可変)                         28.41
17(補助絞り) ∞    (可変)                         (可変)
18(絞り)     ∞      0.00                         29.88
19         64.899    5.20   1.58913    61.1       31.69
20        -78.082    0.15                         31.97
21         90.708    6.22   1.56384    60.7       32.06
22        -43.315    1.50   2.00100    29.1       31.87
23       -117.956    0.15                         32.17
24         31.690    1.50   1.90366    31.3       31.62
25         19.753    9.51   1.58313    59.4       29.40
26*      -120.893  (可変)                         28.73
27        -95.932    1.10   1.88300    40.8       24.59
28         44.658    5.08   1.84666    23.8       23.97
29        -39.030    1.10   1.85400    40.4       23.70
30*        41.088  (可変)                         22.99
31         33.917    6.10   1.59522    67.7       26.88
32        -64.096    0.15                         26.88
33        134.924    1.30   2.00100    29.1       26.31
34         17.819   11.17   1.60342    38.0       25.01
35        -28.425    0.73                         25.63
36        -23.591    1.40   1.88300    40.8       25.62
37        -56.257                                 27.18
非球面データ
第6面
K= 0.00000e+000  A 4= 2.15641e-005  A 6=-1.59405e-008  A 8=-1.70228e-010
A10= 3.04762e-013
第7面
K= 0.00000e+000  A 4= 1.89375e-005  A 6= 1.10852e-007  A 8=-7.63747e-011
A10= 1.49508e-012
第8面
K= 0.00000e+000  A 4= 2.71002e-006  A 6= 5.16814e-008  A 8= 2.76700e-010
A10= 7.67569e-013
第26面
K= 0.00000e+000  A 4= 5.01527e-006  A 6=-1.02262e-008  A 8= 1.27987e-011
A10=-1.36611e-014
第30面
K= 0.00000e+000  A 4=-6.88605e-006  A 6= 6.23774e-010  A 8= 3.09305e-011
A10=-1.47376e-013
各種データ
ズーム比     12.14
広角     中間     望遠
焦点距離      24.30   100.00   294.99
Fナンバー      4.10     5.66     5.99
半画角（度）  41.68    12.21     4.19
像高          21.64    21.64    21.64
レンズ全長   196.23   246.15   298.43
BF            38.91    98.09   109.87
d 5            2.23    35.29    86.36
d16           22.86     1.23     1.00
d17           20.48     9.43     1.00
d26            1.41     6.22     6.44
d30           17.58     3.14     1.00
ea17          15.77    23.49    29.88
ズームレンズ群データ
群  始面    焦点距離  レンズ構成長  前側主点位置  後側主点位置
1    1     143.57        17.80         6.33         -5.09
2    6     -19.46        22.59         0.78        -18.07
3   17       ∞           0.00         0.00         -0.00
4   19      28.41        24.23         5.64        -10.33
5   27     -31.43         7.28         2.60         -1.23
6   31      77.39        20.85        -3.18        -15.83
【００８１】
（数値実施例４）
単位 mm
面データ
面番号       r        d      nd         νd       有効径
1        227.782    2.00   1.88300    40.8       65.30
2         80.810    8.74   1.49700    81.5       60.06
3       -754.473    0.15                         58.94
4         82.226    6.67   1.59522    67.7       57.69
5       1213.652  (可変)                         57.01
6*     -1923.842    1.60   1.85400    40.4       34.85
7*        20.809    7.07                         26.66
8*       -51.953    1.30   1.85400    40.4       26.46
9         33.332    3.70   1.85478    24.8       25.18
10        460.674    0.15                         24.85
11       1832.726    3.45   1.72047    34.7       24.84
12        -38.450    1.54                         24.52
13        -22.981    1.20   1.59522    67.7       24.52
14       -125.245    0.15                         26.68
15        150.623    2.80   1.80000    29.8       28.35
16       -143.898  (可変)                         28.98
17(補助絞り) ∞    (可変)                         (可変)
18(絞り)     ∞      0.00                         30.20
19         74.960    3.38   1.63854    55.4       31.56
20      -1029.641    0.15                         31.88
21         56.773    3.46   1.59522    67.7       32.73
22        256.437    0.15                         32.68
23         40.411    5.98   1.51742    52.4       32.76
24       -160.442    1.50   2.00100    29.1       32.28
25        635.862    0.15                         31.87
26         36.464    1.50   2.00100    29.1       30.94
27         19.249    8.55   1.58313    59.4       28.38
28*      -110.217  (可変)                         27.99
29      -1128.192    1.10   1.88300    40.8       20.93
30         98.181    0.95                         20.61
31       -127.544    1.10   1.88300    40.8       20.61
32         22.320    3.36   1.84666    23.8       20.69
33*        91.124  (可変)                         20.83
34         47.777    5.76   1.49700    81.5       26.33
35        -52.463    0.15                         26.56
36         96.080    1.30   2.00100    29.1       26.43
37         21.618    4.41   1.49700    81.5       25.68
38         37.474    1.47                         26.44
39         38.163    6.93   1.69895    30.1       28.14
40        -62.571    1.84                         28.51
41        -30.876    1.50   1.88300    40.8       28.51
42        -56.114                                 29.79
非球面データ
第6面
K= 0.00000e+000  A 4= 1.79515e-005  A 6=-4.32442e-008  A 8= 8.79878e-011
A10=-7.98746e-014
第7面
K= 0.00000e+000  A 4= 6.54163e-006  A 6= 4.63763e-009  A 8=-6.77907e-011
A10= 8.00478e-013
第8面
K= 0.00000e+000  A 4=-3.12178e-006  A 6= 2.99486e-009  A 8= 8.37239e-011
A10=-1.35083e-013
第28面
K= 0.00000e+000  A 4= 7.04783e-006  A 6=-9.97816e-009  A 8= 1.78001e-011
A10=-4.22406e-014
第33面
K= 0.00000e+000  A 4=-4.31898e-006  A 6= 1.01275e-008  A 8=-6.15621e-011
A10= 1.15671e-013
各種データ
ズーム比     12.14
広角     中間     望遠
焦点距離      24.30   100.00   294.99
Fナンバー      4.10     5.60     5.89
半画角（度）  41.68    12.21     4.19
像高          21.64    21.64    21.64
レンズ全長   197.97   242.42   298.48
BF            38.89    91.12    96.32
d 5            2.30    31.28    90.82
d16           20.61     3.14     0.50
d17           26.33     7.05     1.00
d28            0.81    11.39    13.64
d33           13.83     3.24     1.00
ea17          14.73    25.38    29.63
ズームレンズ群データ
群  始面    焦点距離  レンズ構成長  前側主点位置  後側主点位置
1    1     152.70        17.56         6.92         -4.33
2    6     -19.88        22.96         1.11        -16.29
3   17       ∞           0.00         0.00         -0.00
4   18      29.42        24.81         4.41        -11.90
5   29     -35.44         6.52         2.00         -1.88
6   34      87.58        23.36         1.20        -14.67
【００８２】
（数値実施例５）
単位 mm
面データ
面番号       r        d      nd         νd       有効径
1        237.559    2.00   1.88300    40.8       65.47
2         84.179    9.23   1.49700    81.5       62.14
3       -652.561    0.15                         61.89
4         83.688    7.05   1.59522    67.7       60.95
5        933.296  (可変)                         60.29
6*         ∞       1.60   1.85400    40.4       33.95
7*        21.193    5.45                         26.10
8       -277.277    1.40   1.77250    49.6       25.90
9        144.541    1.64                         24.84
10*       -81.185    1.20   1.76385    48.5       24.75
11         96.300    3.60   1.72047    34.7       24.01
12        -48.902    1.76                         23.65
13        -23.407    1.20   1.59522    67.7       23.65
14       -137.459    0.15                         24.70
15        151.600    2.96   1.85478    24.8       26.03
16        -88.806  (可変)                         26.65
17          ∞     (可変)                         (可変)
18(絞り)    ∞     (可変)                         28.10
19         53.332    2.44   1.69895    30.1       29.34
20         90.359  (可変)                         29.48
21         41.807    4.62   1.59522    67.7       30.33
22       -499.193    0.15                         30.24
23         43.853    4.35   1.49700    81.5       29.90
24       1027.648    0.15                         29.34
25*        64.904    1.50   2.00100    29.1       28.69
26         22.379    6.84   1.56883    56.4       26.88
27       -125.683  (可変)                         26.70
28       -107.500    1.10   1.88300    40.8       22.14
29         41.771    0.15                         22.33
30         36.244    3.57   1.85478    24.8       22.67
31       -177.475    1.10   1.85400    40.4       22.76
32*        52.720  (可変)                         22.74
33         57.220    6.58   1.59522    67.7       31.63
34        -59.664    0.15                         31.81
35         77.238    1.40   2.00100    29.1       31.02
36         21.153    5.17   1.43875    94.9       29.28
37         33.053    0.63                         30.24
38         31.811    8.18   1.64769    33.8       31.73
39        -82.357    1.88                         31.93
40        -38.721    1.60   1.88300    40.8       31.93
41        -71.489                                 33.02
非球面データ
第6面
K = 0.00000e+000  A 4= 1.94899e-005  A 6=-5.58353e-008  A 8= 1.46441e-010
A10=-1.75111e-013
第7面
K = 0.00000e+000  A 4= 1.06964e-005  A 6= 5.77937e-009  A 8=-1.27014e-010
A10= 1.53276e-012
第10面
K = 0.00000e+000  A 4=-3.46897e-006  A 6= 9.83790e-009  A 8= 6.81292e-012
A10= 2.23747e-013
第25面
K = 0.00000e+000  A 4=-4.64496e-006  A 6=-3.41074e-010  A 8=-6.55903e-013
A10= 1.21737e-015
第32面
K = 0.00000e+000  A 4=-2.77060e-006  A 6= 5.17029e-009  A 8=-2.00629e-011
A10= 6.45952e-014
各種データ
ズーム比     12.14
広角     中間     望遠
焦点距離      24.30    99.99   294.99
Fナンバー      4.10     5.71     5.88
画角          41.68    12.21     4.19
像高          21.64    21.64    21.64
レンズ全長   198.55   245.71   298.53
BF            39.59    92.36    93.20
d 5            2.40    33.70    94.78
d16           17.02     2.13     0.50
d17           17.99     8.46     1.00
d18           10.00     0.00     0.00
d20            3.04     0.55     0.55
d27            1.28    13.76    16.34
d32           16.27     3.78     1.21
ea17          13.35    23.06    27.40
ズームレンズ群データ
群  始面    焦点距離  レンズ構成長  前側主点位置  後側主点位置
1    1     155.88        18.44         7.17         -4.64
2    6     -20.75        20.96         0.85        -15.81
3   17       ∞           0.00         0.00         -0.00
4   18       ∞           0.00         0.00         -0.00
5   19     181.31         2.44        -2.01         -3.41
6   21      37.97        17.61         1.86         -9.61
7   28     -44.99         5.92         2.14         -1.06
8   33      81.73        25.60         0.12        -16.62
【００８３】
（数値実施例６）
単位 mm
面データ
面番号       r        d      nd         νd       有効径
1        195.304    2.00   1.88300    40.8       64.68
2         75.342    8.70   1.49700    81.5       59.33
3      -1857.425    0.15                         57.57
4         75.332    6.55   1.59522    67.7       56.00
5        621.476  (可変)                         55.23
6*         ∞       1.60   1.85400    40.4       34.33
7*        18.547    6.67                         25.45
8        -86.702    1.40   1.77250    49.6       25.26
9        563.073    0.80                         24.40
10*      -237.385    1.20   1.76385    48.5       24.14
11         77.161    3.92   1.72047    34.7       23.35
12        -52.932    2.39                         22.74
13        -19.676    1.20   1.59522    67.7       22.73
14        -47.946    0.15                         22.89
15        645.197    2.33   1.85478    24.8       24.15
16        -83.375  (可変)                         24.72
17          ∞     (可変)                         (可変)
18(絞り)    ∞     (可変)                         28.00
19         51.609    2.82   1.84666    23.8       27.91
20        155.048    0.15                         27.94
21         36.994    3.21   1.59522    67.7       28.38
22         55.429    7.70                         27.97
23         25.925    5.94   1.49700    81.5       28.01
24        322.349    0.16                         27.15
25*        64.301    1.50   2.00100    29.1       26.54
26         19.210    6.30   1.51823    58.9       24.46
27       -414.695    0.15                         24.31
28        124.955    1.10   1.88300    40.8       24.23
29         46.143   11.84                         23.98
30         50.342    3.92   1.83481    42.7       28.57
31       -177.113  (可変)                         28.53
32       -174.378    2.53   1.59522    67.7       27.98
33       -109.846    0.15                         27.91
34        239.360    1.40   2.00100    29.1       27.62
35         19.243    6.22   1.43875    94.9       26.60
36         75.243    1.01                         28.00
37         72.960   10.80   1.72151    29.2       29.54
38        -20.375    1.60   1.85400    40.4       30.57
39*       -71.171                                 33.70
非球面データ
第6面
K = 0.00000e+000  A 4= 2.25764e-005  A 6=-4.47930e-008  A 8= 8.47185e-011
A10=-8.64622e-014
第7面
K = 0.00000e+000  A 4= 6.39712e-006  A 6= 6.31243e-008  A 8=-3.24035e-010
A10= 2.51381e-012
第10面
K = 0.00000e+000  A 4=-1.33765e-006  A 6= 2.07345e-008  A 8= 4.46521e-011
A10= 5.26572e-013
第25面
K = 0.00000e+000  A 4=-6.42231e-006  A 6= 8.75690e-010  A 8= 1.00065e-013
A10= 1.40496e-014
第39面
K = 0.00000e+000  A 4=-5.02536e-006  A 6=-1.29460e-008  A 8= 2.87119e-011
A10=-1.01104e-013
各種データ
ズーム比      8.23
広角     中間     望遠
焦点距離      24.30    99.97   199.91
Fナンバー      4.10     5.71     5.88
画角          41.68    12.21     6.18
像高          21.64    21.64    21.64
レンズ全長   194.84   258.91   298.20
BF            39.58    91.95    92.00
d 5            2.25    36.62    77.96
d16           16.45     4.77     0.51
d17           14.00     2.34     1.00
d18           14.00     0.00     0.00
d31            1.00    15.89    19.20
ea17          13.99    24.94    25.52
ズームレンズ群データ
群  始面    焦点距離  レンズ構成長  前側主点位置  後側主点位置
1    1     150.30        17.39         6.26         -4.89
2    6     -19.58        21.66         0.65        -16.94
3   17       ∞           0.00         0.00         -0.00
4   18       ∞           0.00         0.00         -0.00
5   19      39.20        44.78        21.04        -31.03
6   32     -89.81        23.70        -6.76        -23.98
【００８４】
【表１−１】
2015200870.tif 000004
【００８５】
【表１−２】
2015200870.tif 000005
【００８６】
【表１−３】
2015200870.tif 000006
【００８７】
【表１−４】
2015200870.tif 000007
【符号の説明】
【００８８】
Ｌ１  第１レンズ群
Ｌ２  第２レンズ群
Ｌ３  第３レンズ群
Ｌ４  第４レンズ群
Ｌ５  第５レンズ群
Ｌ６  第６レンズ群
ＬＲ  後群
ＳＰ  開口絞り
ＩＰ  像面
【図１】
2015200870.tif 000008
【図２】
2015200870.tif 000009
【図３】
2015200870.tif 000010
【図４】
2015200870.tif 000011
【図５】
2015200870.tif 000012
【図６】
2015200870.tif 000013
【図７】
2015200870.tif 000014
【図８】
2015200870.tif 000015
【図９】
2015200870.tif 000016
【図１０】
2015200870.tif 000017
【図１１】
2015200870.tif 000018
【図１２】
2015200870.tif 000019
【図１３】
2015200870.tif 000020
【図１４】
2015200870.tif 000021